(57)【要約】【課題】複数のオークションにより商品を効果的かつ効率的に販売する方法及び当該方法を実現するコンピュータを提供すること。【解決手段】コンピュータ１は、複数のオークションに含まれる第一のオークションの出品者から、当該出品者を特定する出品者データを受け付けて当該出品者を認証し、前記出品者から前記第一のオークションに係る商品に関する情報を示す出品データを受け付けて記憶し、前記複数のオークションに含まれ、前記第一のオークション以外のオークションであって、前記出品データにおいて指定された別のオークションの入札者に対して、前記出品データにおいて指定された時期に、前記出品データの一部を閲覧可能とする。【選択図】図８
2007156827.tif 000002
【特許請求の範囲】
【請求項１】
コンピュータにより、複数のオークションにおいて商品の入札を受け付ける方法であって、
前記複数のオークションに含まれる第一のオークションの出品者から、当該出品者を特定する出品者データを受け付けて当該出品者を認証する出品者認証ステップと、
前記出品者から前記第一のオークションに係る商品に関する情報を示す出品データを受け付けて記憶する出品データ受付ステップと、
前記第一のオークションの入札者から、当該入札者を特定する入札者データを受け付けて当該入札者を認証する第一の入札者認証ステップと、
当該入札者からの前記商品に対する入札条件を示す第一の入札データを受け付けて記憶する第一の入札データ受付ステップと、
前記複数のオークションに含まれ、前記第一のオークション以外のオークションであって、前記出品データにおいて指定された別のオークションの入札者に対して、前記出品データにおいて指定された時期に、前記出品データの一部を閲覧可能とする出品データ閲覧可能化ステップと、
受け付けた前記第一の入札データに基づいて、前記第一のオークションにおける第一の取引の成否を決定する第一の取引決定ステップと、
前記第一のオークションにおいて前記第一の取引が成立しなかった場合に、前記別のオークションの入札者から、当該入札者を特定する入札者データを受け付けて当該入札者を認証する別の入札者認証ステップと、
前記別のオークションの入札者からの前記商品に対する入札条件を示す別の入札データを受け付けて記憶する別の入札データ受付ステップと、
受け付けた前記別の入札データに基づいて別の取引の成否を決定する別の取引決定ステップと、を含む方法。
【請求項２】
前記第一のオークションに入札可能である第一の参加者の数が、前記別のオークションに入札可能である別の参加者の数より少ない請求項１に記載の方法。
【請求項３】
前記出品データ閲覧可能化ステップにおいて、前記別のオークションの入札者に対して、前記第一のオークションにおける前記商品の価格と同一の価格を閲覧可能とする請求項１または請求項２に記載の方法。
【請求項４】
前記第一のオークションの入札者が業者に限られるオークションであり、前記別のオークションの入札者が業者に限られないオークションである請求項１から請求項３のいずれかに記載の方法。
【請求項５】
コンピュータにより、オークションにおいて商品の入札を受け付ける方法であって、
前記オークションの出品者から、当該出品者を特定する出品者データを受け付けて当該出品者を認証する出品者認証ステップと、
前記出品者から前記オークションに係る商品に関する情報を示すデータであって前記商品の第一の価格データ及び前記出品者の連絡先データを含んで構成される出品データを受け付けて記憶する出品データ受付ステップと、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化ステップと、
前記オークションの出品者から、前記出品データの取消を受け付けて記憶する出品データ取消受付ステップと、
前記オークションの出品者から、前記第一の価格に変えて前記入札を開始した後に適用する第二の価格データを受け付けて記憶する第二の価格データ受付ステップと、
前記オークションの入札者から、当該入札者を特定する入札者データを受け付けて当該入札者を認証する入札者認証ステップと、
前記オークションの入札者からの前記商品に対する入札条件を示す入札データを受け付けて記憶する入札データ受付ステップと、
受け付けた前記入札データに基づいて取引の成否を決定する取引決定ステップと、を含む方法。
【請求項６】
前記第二の価格は前記第一の価格より低額である請求項５に記載の方法。
【請求項７】
複数のオークションにおいて商品の入札を受け付けるコンピュータであって、
前記複数のオークションに含まれる第一のオークションの出品者から、当該出品者を特定する出品者データを受け付けて当該出品者を認証する出品者認証受付手段と、
前記出品者から前記第一のオークションに係る商品に関する情報を示す出品データを受け付けて記憶する出品データ受付手段と、
前記第一のオークションの入札者から、当該入札者を特定する入札者データを受け付けて当該入札者を認証する第一の入札者認証受付手段と、
当該入札者からの前記商品に対する入札条件を示す第一の入札データを受け付けて記憶する第一の入札データ受付手段と、
前記複数のオークションに含まれ、前記第一のオークション以外のオークションであって、前記出品データにおいて指定された別のオークションの入札者に対して、前記出品データにおいて指定された時期に、前記出品データの一部を閲覧可能とする出品データ閲覧可能化手段と、
受け付けた前記第一の入札データに基づいて、前記第一のオークションにおける第一の取引の成否を決定する第一の取引決定手段と、
前記第一のオークションにおいて前記第一の取引が成立しなかった場合に、前記別のオークションの入札者から、当該入札者を特定する入札者データを受け付けて当該入札者を認証する別の入札者認証手段と、
前記別のオークションの入札者からの前記商品に対する入札条件を示す別の入札データを受け付けて記憶する別の入札データ受付手段と、
受け付けた前記別の入札データに基づいて別の取引の成否を決定する別の取引決定手段と、を備えるコンピュータ。
【請求項８】
前記第一のオークションに入札可能である第一の参加者の数が、前記別のオークションに入札可能である別の参加者の数より少ない請求項７に記載のコンピュータ。
【請求項９】
前記出品データ閲覧可能化手段において、前記別のオークションの入札者に対して、前記第一のオークションにおける前記商品の価格と同一の価格を閲覧可能とする請求項７または請求項８に記載のコンピュータ。
【請求項１０】
前記第一のオークションの入札者が業者に限られるオークションであり、前記別のオークションの入札者が業者に限られないオークションである請求項７から請求項９のいずれかに記載のコンピュータ。
【請求項１１】
オークションにおいて商品の入札を受け付けるコンピュータであって、
前記オークションの出品者から、当該出品者を特定する出品者データを受け付けて当該出品者を認証する出品者認証手段と、
前記出品者から前記オークションに係る商品に関する情報を示すデータであって前記商品の第一の価格データ及び前記出品者の連絡先データを含んで構成される出品データを受け付けて記憶する出品データ受付手段と、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化手段と、
前記オークションの出品者から、前記出品データの取消を受け付けて記憶する出品データ取消受付手段と、
前記オークションの出品者から、前記第一の価格に変えて前記入札を開始した後に適用する第二の価格データを受け付けて記憶する第二の価格データ受付手段と、
前記オークションの入札者から、当該入札者を特定する入札者データを受け付けて当該入札者を認証する入札者認証手段と、
前記オークションの入札者からの前記商品に対する入札条件を示す入札データを受け付けて記憶する入札データ受付手段と、
受け付けた前記入札データに基づいて取引の成否を決定する取引決定手段と、を備えるコンピュータ。
【請求項１２】
前記第二の価格は前記第一の価格より低額である請求項１１に記載のコンピュータ。
【発明の詳細な説明】
【技術分野】
【０００１】
本発明は、オークションによる商品販売方法及び当該方法を実現するコンピュータに関する。特に、複数のオークションにより商品を販売する方法及び当該方法を実現するコンピュータに関する。
【背景技術】
【０００２】
従来、オークションにより商品を販売する方法が知られている。例えば、中古車販売業者が参加する中古車オークションが複数の主催者により行なわれている。
【０００３】
これらのオークションの方法としては、参加者が特定の会場に赴いて出品される商品を直接確認した上で入札を行う方法がある。さらに、このような古典的な方法に加えて、インターネット等の通信ネットワークを介して、出品される商品の写真やスペック等の情報を遠隔地から確認することを可能とし、参加者が遠隔地からこの通信回線を介して当該商品の情報を確認し、入札することを可能とする方法も行なわれている。
【０００４】
このようないわゆるネットオークションによる方法は、物理的にオークション会場から遠隔地に所在する中古車業者等の参加者が、現地に赴くことなく当該オークションに参画する機会を提供している。
【０００５】
一方で、上述の通信ネットワークを介してのみ行なわれるオークションも存在している。例えば、上述の中古車販売業者のような「業者」ではなく、「一般消費者」が、インターネット上に実現したネットオークション等に直接商品を出品し、入札も一般消費者によって行なわれる形態がある。
【０００６】
このような一般消費者向けネットオークションは、オークションを行なう物理的な場所を必要としないので比較的安価に実現できる点、通信環境さえ整えば売りたい商品を所有している出品者が、その商品を買う意思を持つ可能性のある落札者にある程度効率的に当該商品の情報を提供できる、という点で優れている。
【０００７】
さらに、特許文献１によれば、旅行商品について、旅行商品素材を提供する「施設提供業者」、これらの旅行素材に基づいて旅行商品を提供する「旅行会社」、そして、これらの旅行素材や旅行商品を買う「一般消費者」が、通信ネットワークを介して互いに接続可能とし、当該商品の売買を可能とする旅行商品取引システムが提案されている。
【特許文献１】特開２００３−３０２８８号公報
【発明の開示】
【発明が解決しようとする課題】
【０００８】
しかしながら、上述のようなオークションによる商品販売の方法においては、更に解決すべき課題がいくつか残されている。第一の課題は、「業者」の参加する業者向けオークションにおいて提供される「商品の品質保証」機能が、通信ネットワークを介してのみ行なわれ、「一般消費者」が参加する一般消費者向けネットオークションにおいては十分に提供されない可能性があることである。
【０００９】
限られた数のプロフェッショナルのみが参加する「業者」向けオークションにおいては、例えば中古車オークションにおいて出品する商品のメーターや事故歴などを偽ったりする不正行為が明らかになると、その商品を出品した業者は当該オークションに参加する資格を失ってしまう等のペナルティがある。このため、このような「業者」向けオークションにおいては、参加者にとってこのような不正行為を行なわないインセンティブが働くために、一定の品質保証機能が提供されているといえる。
【００１０】
一方で、一般消費者向けネットオークションにおいては、そのメリットと表裏一体であるが、参加資格が比較的緩いために参加者の数も比較的多くなりがちであり、上述のようなペナルティによって当該オークションに参加する資格を失ったとしても、その一般消費者にとってその場限りの出品であれば、そのペナルティは「業者」にとってのペナルティに比較して軽く捉えられる可能性もある。
【００１１】
このような理由から、一般消費者向けネットオークションにおいては、出品される商品の本来の価格を大きく下回る入札価格でしか取引が成立しない可能性がある。このようなケースは、上述の「品質保証機能」が不足する分だけ、入札価格をディスカウントすることによって取引が成立したと説明することもできる。
【００１２】
第二の課題は、「業者」にとって、業者向けオークションにおいて流札となった場合には、その商品を販売するには、再度別のオークションに出品したりする手間と時間がさらにかかることである。
【００１３】
通常、業者がオークションに出品するのは長期在庫となったものなど、早期に処分したい事由のある商品が多い。それにもかかわらず、流札となった場合には、さらに同様の手続を繰り返す必要があり、従来の業者向けオークションはこれらの課題に十分に応えているとはいえない。
【００１４】
第三の課題は、オークションを運営する主催者にとって、入札によって取引が成立する確率を表す成約率を向上させることは、成約手数料を増加させるとともに、出品者、入札者をひきつけるための重要な経営課題となっているが、自らが主催するオークションのみにおいてこれを向上させるには困難が伴うことである。
【００１５】
上述のように、例えば中古車オークションにおいても、入札者が全てのオークションに参加しているとは限らず、実際には出品された商品の入札条件に合う入札を行なう可能性のある入札者がいたとしても、たまたまその入札者が当該オークションに参加していなければ、取引が成立することはない。
【００１６】
このような場合には、当該オークションを運営する主催者にとって、成約率を向上させる機会を失っていることになる。
【００１７】
そこで本発明は、上述のような課題を解決するために、複数のオークションにより商品を効果的かつ効率的に販売する方法及び当該方法を実現するコンピュータ提供することを目的とする。具体的には、以下のようなものを提供する。
【課題を解決するための手段】
【００１８】
（１）  コンピュータにより、複数のオークションにおいて商品の入札を受け付ける方法であって、
前記複数のオークションに含まれる第一のオークションの出品者から、当該出品者を特定する出品者データを受け付けて当該出品者を認証する出品者認証ステップと、
前記出品者から前記第一のオークションに係る商品に関する情報を示す出品データを受け付けて記憶する出品データ受付ステップと、
前記第一のオークションの入札者から、当該入札者を特定する入札者データを受け付けて当該入札者を認証する第一の入札者認証ステップと、
当該入札者からの前記商品に対する入札条件を示す第一の入札データを受け付けて記憶する第一の入札データ受付ステップと、
前記複数のオークションに含まれ、前記第一のオークション以外のオークションであって、前記出品データにおいて指定された別のオークションの入札者に対して、前記出品データにおいて指定された時期に、前記出品データの一部を閲覧可能とする出品データ閲覧可能化ステップと、
受け付けた前記第一の入札データに基づいて、前記第一のオークションにおける第一の取引の成否を決定する第一の取引決定ステップと、
前記第一のオークションにおいて前記第一の取引が成立しなかった場合に、前記別のオークションの入札者から、当該入札者を特定する入札者データを受け付けて当該入札者を認証する別の入札者認証ステップと、
前記別のオークションの入札者からの前記商品に対する入札条件を示す別の入札データを受け付けて記憶する別の入札データ受付ステップと、
受け付けた前記別の入札データに基づいて別の取引の成否を決定する別の取引決定ステップと、を含む方法。
【００１９】
（１）の発明によれば、前記コンピュータは、前記複数のオークションに含まれる第一のオークションの出品者から、当該出品者を特定する出品者データを受け付けて当該出品者を認証し、
前記出品者から前記第一のオークションに係る商品に関する情報を示す出品データを受け付けて記憶し、
前記第一のオークションの入札者から、当該入札者を特定する入札者データを受け付けて当該入札者を認証し、
当該入札者からの前記商品に対する入札条件を示す第一の入札データを受け付けて記憶し、
前記複数のオークションに含まれ、前記第一のオークション以外のオークションであって、前記出品データにおいて指定された別のオークションの入札者に対して、前記出品データにおいて指定された時期に、前記出品データの一部を閲覧可能とし、
受け付けた前記第一の入札データに基づいて、前記第一のオークションにおける第一の取引の成否を決定し、
前記第一のオークションにおいて前記第一の取引が成立しなかった場合に、前記別のオークションの入札者から、当該入札者を特定する入札者データを受け付けて当該入札者を認証し、
前記別のオークションの入札者からの前記商品に対する入札条件を示す別の入札データを受け付けて記憶し、
受け付けた前記別の入札データに基づいて別の取引の成否を決定する。
【００２０】
このことにより、前記第一のオークションで流札となった商品は、自動的に前記別のオークションで入札が可能となる。その結果、前記出品者は、希望に応じて別のオークションへ出品データを閲覧可能とする時期を指定でき、流札となった場合に自動的に前記別のオークションにおいて入札を受けることが可能となる。
【００２１】
（２）  前記第一のオークションに入札可能である第一の参加者の数が、前記別のオークションに入札可能である別の参加者の数より少ない（１）に記載の方法。
【００２２】
（２）の発明によれば、前記別のオークションにおいて、前記第一のオークションより多くの参加者からの入札を受け付けることができる。
【００２３】
このことにより、例えば前記第一のオークションが限られた業者向けのオークションであり、前記別のオークションが一般消費者向けのオークションである場合等、前記第一のオークションにおいて流札となった場合に、前記別のオークションにおいてより多くの参加者からの入札を受け付けて成約率を向上させることができる。
【００２４】
（３）  前記出品データ閲覧可能化ステップにおいて、前記別のオークションの入札者に対して、前記第一のオークションにおける前記商品の価格と同一の価格を閲覧可能とする（１）または（２）に記載の方法。
【００２５】
（３）の発明によれば、前記コンピュータは、前記別のオークションの入札者に対して、前記第一のオークションにおける前記商品の価格と同一の価格を閲覧可能とする。
【００２６】
このことにより、例えば前記第一のオークションが限られた業者向けのオークションであり、前記別のオークションが一般消費者向けのオークションであった場合には、一般消費者向けの価格より安い可能性のある業者向け価格で、一般消費者が入札に参加する機会を提供することができる。
【００２７】
（４）  前記第一のオークションの入札者が業者に限られるオークションであり、前記別のオークションの入札者が業者に限られないオークションである（１）から（３）のいずれかに記載の方法。
【００２８】
（４）の発明によれば、前記コンピュータは、業者から第一のオークションの入札条件を受け付け、業者に限られない参加者から前記別のオークションの入札条件を受け付ける。
【００２９】
このことにより、品質保証機能が提供される可能性が高い前記第一のオークションにおいて流札となった商品が前記別のオークションにおいて入札可能となる。その結果、前記別のオークションにおいて参加する一般消費者は、ある程度品質が保証されている商品に対して入札することが可能になる。このような状況においては、本来の商品の価格で取引が成立する可能性がある。
【００３０】
（５）  コンピュータにより、オークションにおいて商品の入札を受け付ける方法であって、
前記オークションの出品者から、当該出品者を特定する出品者データを受け付けて当該出品者を認証する出品者認証ステップと、
前記出品者から前記オークションに係る商品に関する情報を示すデータであって前記商品の第一の価格データ及び前記出品者の連絡先データを含んで構成される出品データを受け付けて記憶する出品データ受付ステップと、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化ステップと、
前記オークションの出品者から、前記出品データの取消を受け付けて記憶する出品データ取消受付ステップと、
前記オークションの出品者から、前記第一の価格に変えて前記入札を開始した後に適用する第二の価格データを受け付けて記憶する第二の価格データ受付ステップと、
前記オークションの入札者から、当該入札者を特定する入札者データを受け付けて当該入札者を認証する入札者認証ステップと、
前記オークションの入札者からの前記商品に対する入札条件を示す入札データを受け付けて記憶する入札データ受付ステップと、
受け付けた前記入札データに基づいて取引の成否を決定する取引決定ステップと、を含む方法。
【００３１】
（５）の発明によれば、前記コンピュータは、
前記オークションの出品者から、当該出品者を特定する出品者データを受け付けて当該出品者を認証し、
前記出品者から前記オークションに係る商品に関する情報を示すデータであって前記商品の第一の価格データ及び前記出品者の連絡先データを含んで構成される出品データを受け付けて記憶し、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とし、
前記オークションの出品者から、前記出品データの取消を受け付けて記憶し、
前記オークションの出品者から、前記第一の価格に変えて前記入札を開始した後に適用する第二の価格データを受け付けて記憶し、
前記オークションの入札者から、当該入札者を特定する入札者データを受け付けて当該入札者を認証し、
前記オークションの入札者からの前記商品に対する入札条件を示す入札データを受け付けて記憶し、
受け付けた前記入札データに基づいて取引の成否を決定する。
【００３２】
このことにより、前記オークションの入札者は、前記オークションの入札が開始する以前の時期において出品情報を閲覧し、検討したうえで当該入札が開始されると前記第一の価格に変えて適用される第二の価格を確認した上ですぐに入札を行うことができる。
【００３３】
さらに、前記オークションの入札者は、希望すれば、当該入札が開始する以前において、前記出品者の連絡先データに基づいて前期出品者に連絡し、前記第一の価格で当該商品を購入することもできる。
【００３４】
（６）  前記第二の価格は前記第一の価格より低額である（５）に記載の方法。
【００３５】
（６）の発明によれば、入札者は、前記第一の価格で出品者から当該商品を購入した者がいない場合に、前記第一の価格より低額な前記第二の価格で当該商品を入札できる可能性がある。
【００３６】
（７）  複数のオークションにおいて商品の入札を受け付けるコンピュータであって、
前記複数のオークションに含まれる第一のオークションの出品者から、当該出品者を特定する出品者データを受け付けて当該出品者を認証する出品者認証受付手段と、
前記出品者から前記第一のオークションに係る商品に関する情報を示す出品データを受け付けて記憶する出品データ受付手段と、
前記第一のオークションの入札者から、当該入札者を特定する入札者データを受け付けて当該入札者を認証する第一の入札者認証受付手段と、
当該入札者からの前記商品に対する入札条件を示す第一の入札データを受け付けて記憶する第一の入札データ受付手段と、
前記複数のオークションに含まれ、前記第一のオークション以外のオークションであって、前記出品データにおいて指定された別のオークションの入札者に対して、前記出品データにおいて指定された時期に、前記出品データの一部を閲覧可能とする出品データ閲覧可能化手段と、
受け付けた前記第一の入札データに基づいて、前記第一のオークションにおける第一の取引の成否を決定する第一の取引決定手段と、
前記第一のオークションにおいて前記第一の取引が成立しなかった場合に、前記別のオークションの入札者から、当該入札者を特定する入札者データを受け付けて当該入札者を認証する別の入札者認証手段と、
前記別のオークションの入札者からの前記商品に対する入札条件を示す別の入札データを受け付けて記憶する別の入札データ受付手段と、
受け付けた前記別の入札データに基づいて別の取引の成否を決定する別の取引決定手段と、を備えるコンピュータ。
【００３７】
（８）  前記第一のオークションに入札可能である第一の参加者の数が、前記別のオークションに入札可能である別の参加者の数より少ない（７）に記載のコンピュータ。
【００３８】
（９）  前記出品データ閲覧可能化手段において、前記別のオークションの入札者に対して、前記第一のオークションにおける前記商品の価格と同一の価格を閲覧可能とする（７）または（８）に記載のコンピュータ。
【００３９】
（１０）  前記第一のオークションの入札者が業者に限られるオークションであり、前記別のオークションの入札者が業者に限られないオークションである（７）から（９）のいずれかに記載のコンピュータ。
【００４０】
（１１）  オークションにおいて商品の入札を受け付けるコンピュータであって、
前記オークションの出品者から、当該出品者を特定する出品者データを受け付けて当該出品者を認証する出品者認証手段と、
前記出品者から前記オークションに係る商品に関する情報を示すデータであって前記商品の第一の価格データ及び前記出品者の連絡先データを含んで構成される出品データを受け付けて記憶する出品データ受付手段と、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化手段と、
前記オークションの出品者から、前記出品データの取消を受け付けて記憶する出品データ取消受付手段と、
前記オークションの出品者から、前記第一の価格に変えて前記入札を開始した後に適用する第二の価格データを受け付けて記憶する第二の価格データ受付手段と、
前記オークションの入札者から、当該入札者を特定する入札者データを受け付けて当該入札者を認証する入札者認証手段と、
前記オークションの入札者からの前記商品に対する入札条件を示す入札データを受け付けて記憶する入札データ受付手段と、
受け付けた前記入札データに基づいて取引の成否を決定する取引決定手段と、を備えるコンピュータ。
【００４１】
（１２）  前記第二の価格は前記第一の価格より低額である（１１）に記載のコンピュータ。
【００４２】
（７）〜（１２）の発明に係るコンピュータを運用することにより、それぞれ（１）〜（６）と同様の効果が期待できる。
【発明の効果】
【００４３】
本発明によれば、オークションにより効率的に商品を販売する方法を提供できる可能性がある。
【発明を実施するための最良の形態】
【００４４】
本発明に係る好適な実施形態の一例について、図面に基づいて以下に説明する。
【実施例１】
【００４５】
［システムの全体構成］
図１は、本発明の好適な実施形態の一例に係る商品販売方法及び当該方法を実現するコンピュータシステム１の全体構成を表すブロック図である。サーバ１０と、端末２０ａ、２０ｂ等の１または複数の端末で構成する端末群２０と、端末２１ａ、２１ｂ等の１または複数の端末で構成する端末群２１と、は通信ネットワーク３０を介して接続されている。
【００４６】
図２は、本発明の好適な実施形態の別の一例に係る商品販売方法及び当該方法を実現するコンピュータシステム１の全体構成を表すブロック図である。サーバ１０、端末群２０、サーバ１１、および端末群２１は通信ネットワーク３０を介して接続されている。このように、本発明を実現するためのサーバの構成としては、第一のオークションと別のオークションそれぞれに専用のサーバ１０及びサーバ１１を備えていても、一台のサーバ１０が複数のオークションを管理してもよい。また、物理的にはサーバ１０、サーバ１１それぞれが複数のサーバコンピュータにより実現してもよい。なお、上述の（５）、（６）、（１１）、（１２）の発明の好適な実施形態に係るコンピュータシステム１の構成については、上述の図１あるいは図２において「第一のオークション」あるいは「別のオークション」を単に「オークション」と読み替えて実現するシステムにより構成することができる。
【００４７】
［サーバの構成］
図３は、本発明の好適な実施形態の一例に係る情報抽出方法を実現するサーバ１０あるいはサーバ１１の構成を示すブロック図である。サーバ制御部１１０、サーバ表示部１２０、サーバ入力部１３０、サーバ通信制御部１４０、サーバ記憶部１５０は、サーババス１６０を介して接続されている。
【００４８】
サーバ制御部１１０は、情報の演算、処理を行う情報演算処理装置であり、ＣＰＵ（Ｃｅｎｔｒａｌ  Ｐｒｏｃｅｓｓｉｎｇ  Ｕｎｉｔ）であってよい。また、サーバ制御部１１０はサーバ１０あるいはサーバ１１全体の制御を行い、サーバ記憶部１５０に記憶された各種プログラムを適宜読み出して実行することにより、上述のハードウエアが協働し、本発明に係る各種機能を実現している。
【００４９】
ここで、サーバ表示部１２０は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【００５０】
ここで、サーバ入力部１３０は、ユーザによる入力の受付を行うものであり、キーボード、ポインティングデバイス等を含んでよい。サーバ入力部１３０は、直接または介在Ｉ／Ｏコントローラを介してサーバ１０あるいはサーバ１１と接続することができる。
【００５１】
ここで、サーバ通信制御部１４０は、サーバ１０あるいはサーバ１１を専用ネットワークまたは公共ネットワークを介して端末と接続できるようにするためのネットワーク・アダプタである。サーバ通信制御部１４０は、モデム、ケーブル・モデムおよびイーサネット（登録商標）・アダプタを含んでよい。
【００５２】
ここで、サーバ記憶部１５０は、サーバ制御部１１０と組み合わせてプログラムの実行に使用するローカルメモリ、大容量のバルクメモリ、および当該バルクメモリの検索を効率的に行うために使用するキャッシュメモリを含んでよい。サーバ記憶部１５０を実現するコンピュータ可読媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００５３】
［端末の構成］
図４は、本発明に係る端末２０ａ、２０ｂ、２１ａ、あるいは２１ｂの構成を示すブロック図である。端末制御部２１０、端末表示部２２０、端末入力部２３０、端末通信制御部２４０、端末記憶部２５０は、端末バス２６０を介して接続されている。
【００５４】
また、端末制御部２１０は上述のサーバ制御部１１０と同様の構成を持ち、端末全体の制御を行い、端末記憶部２５０に記憶された各種プログラムを適宜読み出して実行することにより、上述のハードウエアが協働し、本発明に係る各種機能を実現している。
【００５５】
ここで、端末表示部２２０、端末入力部２３０、端末通信制御部２４０、端末記憶部２５０は、それぞれ上述のサーバ表示部１２０、サーバ入力部１３０、サーバ通信制御部１４０、サーバ記憶部１５０と同様の構成を持つ。
【００５６】
図５は、本発明の好適な実施形態の一例に係る取引体系を示す図である。この図に示す様に、出品者、入札者としての業者（図中、Ｂと記載）が参加するオートオークション（図中、ＡＡと記載）と入札者としての一般顧客（図中、Ｃと記載）が参加するオークションを結び付けることによって、双方の参加者にメリットをもたらす新たな取引体系（ビジネスモデル）が構築可能である。
【００５７】
具体的には、出品者にとっては、一回の出品の手続により業者向けオークションのみならず、一般向けオークションにも出品することも可能（業者向けオークションで流札となった場合）となる（落札率の向上）。また、一般顧客にとっては、店頭や販売サイトにおける価格より安い業者向けオークションと同じ価格で購入する機会が得られる。ここで重要なことは、当該一般向けオークションに出品される商品は業者向けオークションに出品されたものと同一であり、「品質保証機能」が自動的に提供されることである。
【００５８】
図６は、本発明の好適な実施形態の一例に係る取引フロー（１）を示す図である。コンピュータシステムによる処理の詳細については後述するが、当該一般向けオークションに出品される商品は全て業者が業者向けオークションに出品して、流札となったものであり、一般向けオークションにおいて落札となった場合にも、一般顧客は登録手続、納品手続等のサービスが受けられる点が通常の一般向けオークションによる販売に対して有利である。
【００５９】
図７は、本発明の好適な実施形態の一例に係る取引フロー（２）を示す図である。この例では、出品者は、店頭やＷｅｂ販売サイトによる販売と並行してオークションへ出品情報の入力を行う。そして、その出品情報を、指定された時期に当該オークションの入札者（一般顧客を想定）に対して開示する。
【００６０】
この時点での価格は店頭やＷｅｂ販売サイトでの価格と同一である。当該入札者が、誰よりも早く確実に当該商品を購入したいと考えれば直接出品者に連絡して購入することもできる。
【００６１】
この段階では売買が成立せず、オークションに出品すると決定した場合には、当該出品者はオークション用の価格（通常は店頭価格より低額）を指定する。
【００６２】
出品者にとって、オークションの入札者（購入する意志が高いことが期待できる）に対して効果的に出品情報として店頭販売等の広告情報を提供することができる。また、入札者にとっては、店頭販売等による商品が低価格でオークションに出品されるかもしれないとの期待感を持って当該広告情報を閲覧し、購入することができる。
【００６３】
［メイン処理（１）］
図８は、本発明の好適な実施形態の一例に係るメイン処理（１）を示すフローチャートである。
【００６４】
まず、サーバ制御部１１０は、サーバ通信制御部１４０を介して業者向けのオークションの出品者認証を行う（ステップＳ１０１）。具体的には例えば、図９に示す様なログイン画面により出品者からの入力を受け付ける。
【００６５】
図９は、出品者ログイン画面を示す図である。端末２０ａ、２０ｂの端末制御部２１０は、端末入力部２３０を介してＩＤとパスワードの入力を受け付けて、通信ネットワーク３０を介してサーバ１０へ送信する。サーバ制御部１１０は、サーバ通信制御部１４０を介して端末から出品者のＩＤ、パスワード等の認証データを受信し、サーバ記憶部１５０に記憶された業者向けオークションの出品者認証テーブル（図１０）の出品者ＩＤ、パスワード（ＰＷ）等と比較することによって出品者を認証する。
【００６６】
図１０は、業者向けオークションの出品者認証テーブルを示す図である。この例では、「○○自動車」はＩＤが「０００１」、ＰＷが「＊＊＊＊」であることが記憶されている。
【００６７】
次に、サーバ制御部１１０は、サーバ通信制御部１４０を介して業者向けのオークションの出品データを受け付ける（ステップＳ１０２）。具体的には例えば、図１１に示す様な出品データ入力画面により出品者からの入力を受け付ける。
【００６８】
図１１は、出品物の詳細を入力する画面の一例を示す図である。この例では、出品者「○○自動車」が、メーカーが「○○○」、車名が「△△△」、年式が「Ｈ１５」、装備が「ＨＤＤナビ」、価格が「２１５万円」、オークション実施日が「２００５／１１／３０」、流札の場合の一般向けの指定オークションが「○○オークション」、流札の場合の一般向けの指定オークション実施日が「２００５／１２／３」、出品情報閲覧可能化日が「２００５／１１／２５」、添付する写真のファイルが「Ｃ：￥・・・．ｊｐｇ」であることを指定して出品データを入力している。
【００６９】
図１２は、出品データを受け付けたサーバ制御部１１０が、サーバ記憶部１５０に記憶する出品データテーブルを示す図である。この例では、出品ＩＤが「０００１」、メーカーが「○○○」、車名が「△△△」、年式が「Ｈ１５」、装備が「ＨＤＤナビ」、最新希望売却価格が「２１５万円」、出品者ＩＤ（連絡先）が「０００１」、オークション実施日が「２００５／１１／３０」、流札の場合の一般向け指定オークションが「○○オークション」、流札の場合の一般向け指定オークション実施日が「２００５／１２／３」、出品情報閲覧可能化日が「２００５／１１／２５」であることが記憶されている。
【００７０】
次に、サーバ制御部１１０は、業者向けのオークションの入札者認証を行う（ステップＳ１０３）。具体的には例えば、図１３に示す様なログイン画面により入札者からの入力を受け付ける。
【００７１】
図１３は、入札者ログイン画面を示す図である。入札者は、図９で示した出品者と同様にして、ＩＤとパスワードを入力する。サーバ制御部１１０は、サーバ通信制御部１４０を介して端末から入札者のＩＤ、パスワード等の認証データを受信し、サーバ記憶部１５０に記憶された業者向けオークションの入札者出品者認証テーブルの出品者ＩＤ、パスワード（ＰＷ）等と比較することによって入札者を認証する。
【００７２】
図１４は、業者向けオークションの入札者認証テーブルを示す図である。この例では、入札者ＩＤが「０００１」、ＰＷが「＊＊＊＊」、名称が「□□自動車販売」であることなどが記憶されている。
【００７３】
次に、サーバ制御部１１０はサーバ通信制御部１４０を介して業者向けオークションの入札データの受け付けを行う（ステップＳ１０４）。具体的には例えば、図１５に示す様な入札画面により、入札者からの入力を受け付ける。
【００７４】
図１５は、入札者が入札金額を入力する画面を示す図である。この例では、出品ＩＤが「０００１」、メーカーが「○○○」、車名が「△△△」、年式が「Ｈ１５」、装備が「ＨＤＤナビ」、出品者が「○○自動車」である出品車に対して、「２００万円」の応札金額で入札している。
【００７５】
図１６は、入札データを受け付けたサーバ制御部１１０が、サーバ記憶部１５０に記憶する入札データテーブルを示す図である。例えば、出品ＩＤが「０００１」、価格が「２１５万円」の出品車に対して、入札番号が「０００１」、入札者ＩＤが「００１３」、入札価格が「２００万円」の入札があったことが記憶されている。
【００７６】
ステップＳ１０２の後、当該出品データにおいて指定された時期において、サーバ制御部１１０は、一般向けのオークション入札者に対して出品データの一部を閲覧可能にする（ステップＳ１０５）。具体的には例えば、図１７に示す様なオークション事前情報画面により表示する。
【００７７】
図１７は、オークション事前情報画面を示す図である。この例では、出品ＩＤが「０００１」、メーカーが「○○○」、車名が「△△△」、年式が「Ｈ１５」、この一般向けオークションに出品される場合（業者向けオークションで流札となった場合）のオークション実施日が「２００５／１２／３」であることを示している。この様に、一般向けオークションの入札者は、業者向けオークションに出品された商品の情報を業者向けオークションの実施前に知ることができる。
【００７８】
次に、サーバ制御部１１０は、業者向けオークションの取引の成否決定を行う（ステップＳ１０６）。
【００７９】
ステップＳ１０６にて、商品が落札されなかった場合、当該商品は出品データの指定に従い、一般向けオークションに出品される。まずサーバ制御部１１０は、一般向けオークションの入札者認証を行う（ステップＳ１０７）。具体的なログイン画面は、図１３と同様である。
【００８０】
図１８は、一般向けオークションの入札者認証テーブルを示す図である。例えば、入札者ＩＤが「０００１」、ＰＷが「＊＊＊＊」、氏名が「鈴木太郎」であることなどが記憶されている。
【００８１】
次に、サーバ制御部１１０は、一般向けオークションの入札者からの入札データを受け付ける（ステップＳ１０８）。具体的な入札画面は、図１５と同様である。
【００８２】
次に、サーバ制御部１１０は、一般向けオークションの取引の成否決定を行う（ステップＳ１０９）。
【００８３】
［メイン処理（２）］
図１９は、本発明の好適な実施形態の別の一例に係るメイン処理（２）を示すフローチャートである。
【００８４】
まず、サーバ制御部１１０は、サーバ通信制御部１４０を介して出品者認証を行う（ステップＳ２０１）。具体的な処理は図９および図１０で示したものと同様である。
【００８５】
次に、サーバ制御部１１０は、サーバ通信制御部１４０を介して出品データを受け付ける（ステップＳ２０２）。具体的な処理は、図１１で示したものと同様である。
【００８６】
ステップＳ２０２の後、当該出品データにおいて指定された時期に、サーバ制御部１１０は、オークションの入札者に対して、第一の価格と出品者連絡先を閲覧可能にする（ステップＳ２０４）。このことにより、例えば、出品者は店頭による販売、販売サイトによる通信ネットワーク販売車と並行して、オークション出品前に事前情報として出品前の販売価格（第一の価格）と共に当該オークションの入札者に対して、情報を開示することができる。
【００８７】
図２０は、オークション事前情報画面を示す図である。この例では、メーカー「○○○」、車名「△△△」、年式「Ｈ１５」であることなどが表示されている。当該情報を閲覧した当該オークションの入札者（会員等）は、出品者の連絡先に基づいて直接出品者から商品を購入することもできる。この場合は、出品者は出品取消の連絡を当該システムに入力することになる。この場合、サーバ制御部１１０は、当該入力した出品取消連絡を受け付ける（ステップＳ２０３）。
【００８８】
ステップＳ２０３において出品取消連絡を受けなかった場合に（即ち、出品者が、前述の店頭販売や販売サイト等による販売を断念して当該オークションへの出品を決定した場合に）、サーバ制御部１１０は、当該出品者から、オークション価格となる第二の価格データを受け付ける（ステップＳ２０５）。
【００８９】
次に、サーバ制御部１１０は、入札者の認証を行う（ステップＳ２０６）。具体的な処理は、図１３、図１８で示したものと同様である。
【００９０】
次に、サーバ制御部１１０は、入札者からの入札データの受け付けを行う（ステップＳ２０７）。具体的な処理は、図１５、図１６で示したものと同様である。
【００９１】
次に、サーバ制御部１１０は、取引の成否決定を行う（ステップＳ２０８）。
【００９２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００９３】
【図１】本発明の好適な実施形態の一例に係る商品販売方法を実現するコンピュータシステム１の全体構成を表すブロック図である。
【図２】本発明の好適な実施形態の別の一例に係る商品販売方法を実現するコンピュータシステム１の全体構成を表すブロック図である。
【図３】本発明の好適な実施形態の一例に係る商品販売方法を実現するサーバ１０、１１の構成を示すブロック図である。
【図４】本発明に係る端末２０ａ、２０ｂ、２１ａ、２１ｂの構成を示すブロック図である。
【図５】本発明の好適な実施形態の一例に係る取引体系を示す図である。
【図６】本発明の好適な実施形態の一例に係る取引フロー（１）を示す図である。
【図７】本発明の好適な実施形態の一例に係る取引フロー（２）を示す図である。
【図８】本発明の好適な実施形態の一例に係るメイン処理（１）を示すフローチャートである。
【図９】本発明の好適な実施形態の一例に係る出品者ログイン画面を示す図である。
【図１０】本発明の好適な実施形態の一例に係る業者向けオークションの出品者認証テーブルを示す図である。
【図１１】本発明の好適な実施形態の一例に係る出品物の詳細を入力する画面を示す図である。
【図１２】本発明の好適な実施形態の一例に係る出品データテーブルを示す図である。
【図１３】本発明の好適な実施形態の一例に係る入札者ログイン画面を示す図である。
【図１４】本発明の好適な実施形態の一例に係る業者向けオークションの入札者認証テーブルを示す図である。
【図１５】本発明の好適な実施形態の一例に係る入札金額を入力する画面を示す図である。
【図１６】本発明の好適な実施形態の一例に係る入札データテーブルを示す図である。
【図１７】本発明の好適な実施形態の一例に係るオークション事前情報画面を示す図である。
【図１８】本発明の好適な実施形態の一例に係る一般向けオークションの入札者認証テーブルを示す図である。
【図１９】本発明の好適な実施形態の一例に係るメイン処理（２）を示すフローチャートである。
【図２０】本発明の好適な実施形態の一例に係るオークション事前情報画面を示す図である。
【符号の説明】
【００９４】
１      コンピュータシステム
１０    サーバ
１１    サーバ
２０    端末群
２０ａ  端末
２０ｂ  端末
２１    端末群
２１ａ  端末
２１ｂ  端末
３０    通信ネットワーク
１１０  サーバ制御部
１２０  サーバ表示部
１３０  サーバ入力部
１４０  サーバ通信制御部
１５０  サーバ記憶部
１６０  サーババス
２１０  端末制御部
２２０  端末表示部
２３０  端末入力部
２４０  端末通信制御部
２５０  端末記憶部
２６０  端末バス
【図１】
2007156827.tif 000003
【図２】
2007156827.tif 000004
【図３】
2007156827.tif 000005
【図４】
2007156827.tif 000006
【図５】
2007156827.tif 000007
【図６】
2007156827.tif 000008
【図７】
2007156827.tif 000009
【図８】
2007156827.tif 000010
【図９】
2007156827.tif 000011
【図１０】
2007156827.tif 000012
【図１１】
2007156827.tif 000013
【図１２】
2007156827.tif 000014
【図１３】
2007156827.tif 000015
【図１４】
2007156827.tif 000016
【図１５】
2007156827.tif 000017
【図１６】
2007156827.tif 000018
【図１７】
2007156827.tif 000019
【図１８】
2007156827.tif 000020
【図１９】
2007156827.tif 000021
【図２０】
2007156827.tif 000022
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
コンピュータにより、複数のオークションにおいて商品の入札を受け付ける方法であって、
前記複数のオークションに含まれる第一のオークションの出品者から、当該出品者を特定する出品者データを受け付けて当該出品者を認証する出品者認証ステップと、
前記出品者から前記第一のオークションに係る商品に関する情報を示す出品データを受け付けて記憶する出品データ受付ステップと、
前記第一のオークションの入札者から、当該入札者を特定する入札者データを受け付けて当該入札者を認証する第一の入札者認証ステップと、
当該入札者からの前記商品に対する入札条件を示す第一の入札データを受け付けて記憶する第一の入札データ受付ステップと、
受け付けた前記第一の入札データに基づいて、前記第一のオークションにおける第一の取引の成否を決定する第一の取引決定ステップと、
前記第一のオークションにおいて前記第一の取引が成立しなかった場合に、前記複数のオークションに含まれ、前記第一のオークション以外のオークションであって、前記出品データにおいて指定された別のオークションの入札者から、当該入札者を特定する入札者データを受け付けて当該入札者を認証する別の入札者認証ステップと、
前記別のオークションの入札者からの前記商品に対する入札条件を示す別の入札データを受け付けて記憶する別の入札データ受付ステップと、
受け付けた前記別の入札データに基づいて別の取引の成否を決定する別の取引決定ステップと、を含む方法。
【請求項２】
前記第一のオークションにおける第一の取引の成否を決定する以前の時期であって前記出品データにおいて指定された時期に、前記別のオークションの入札者に対して前記出品データの一部を閲覧可能とする出品データ閲覧可能化ステップを更に含む請求項１に記載の方法。
【請求項３】
前記第一のオークションに入札可能である第一の参加者の数が、前記別のオークションに入札可能である別の参加者の数より少ない請求項１または請求項２に記載の方法。
【請求項４】
前記出品データ閲覧可能化ステップにおいて、前記別のオークションの入札者に対して、前記第一のオークションにおける前記商品の価格と同一の価格を閲覧可能とする請求項１から請求項３のいずれかに記載の方法。
【請求項５】
前記第一のオークションの入札者が業者に限られるオークションであり、前記別のオークションの入札者が業者に限られないオークションである請求項１から請求項４のいずれかに記載の方法。
【請求項６】
コンピュータにより、オークションにおいて商品の入札を受け付ける方法であって、
前記オークションの出品者から、当該出品者を特定する出品者データを受け付けて当該出品者を認証する出品者認証ステップと、
前記出品者から前記オークションに係る商品に関する情報を示すデータであって前記商品の第一の価格データ及び前記出品者の連絡先データを含んで構成される出品データを受け付けて記憶する出品データ受付ステップと、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化ステップと、
前記オークションの出品者から、前記出品データの取消を受け付けて記憶する出品データ取消受付ステップと、
前記オークションの出品者から、前記第一の価格に変えて前記入札を開始した後に適用する第二の価格データを受け付けて記憶する第二の価格データ受付ステップと、
前記オークションの入札者から、当該入札者を特定する入札者データを受け付けて当該入札者を認証する入札者認証ステップと、
前記オークションの入札者からの前記商品に対する入札条件を示す入札データを受け付けて記憶する入札データ受付ステップと、
受け付けた前記入札データに基づいて取引の成否を決定する取引決定ステップと、を含む方法。
【請求項７】
前記第二の価格は前記第一の価格より低額である請求項６に記載の方法。
【請求項８】
複数のオークションにおいて商品の入札を受け付けるコンピュータであって、
前記複数のオークションに含まれる第一のオークションの出品者から、当該出品者を特定する出品者データを受け付けて当該出品者を認証する出品者認証受付手段と、
前記出品者から前記第一のオークションに係る商品に関する情報を示す出品データを受け付けて記憶する出品データ受付手段と、
前記第一のオークションの入札者から、当該入札者を特定する入札者データを受け付けて当該入札者を認証する第一の入札者認証受付手段と、
当該入札者からの前記商品に対する入札条件を示す第一の入札データを受け付けて記憶する第一の入札データ受付手段と、
受け付けた前記第一の入札データに基づいて、前記第一のオークションにおける第一の取引の成否を決定する第一の取引決定手段と、
前記第一のオークションにおいて前記第一の取引が成立しなかった場合に、前記複数のオークションに含まれ、前記第一のオークション以外のオークションであって、前記出品データにおいて指定された別のオークションの入札者から、当該入札者を特定する入札者データを受け付けて当該入札者を認証する別の入札者認証手段と、
前記別のオークションの入札者からの前記商品に対する入札条件を示す別の入札データを受け付けて記憶する別の入札データ受付手段と、
受け付けた前記別の入札データに基づいて別の取引の成否を決定する別の取引決定手段と、を備えるコンピュータ。
【請求項９】
前記第一のオークションにおける第一の取引の成否を決定する以前の時期であって前記出品データにおいて指定された時期に、前記別のオークションの入札者に対して前記出品データの一部を閲覧可能とする出品データ閲覧可能化手段を更に備える請求項８に記載の方法。
【請求項１０】
前記第一のオークションに入札可能である第一の参加者の数が、前記別のオークションに入札可能である別の参加者の数より少ない請求項８または請求項９に記載のコンピュータ。
【請求項１１】
前記出品データ閲覧可能化手段において、前記別のオークションの入札者に対して、前記第一のオークションにおける前記商品の価格と同一の価格を閲覧可能とする請求項８から請求項１０のいずれかに記載のコンピュータ。
【請求項１２】
前記第一のオークションの入札者が業者に限られるオークションであり、前記別のオークションの入札者が業者に限られないオークションである請求項８から請求項１１のいずれかに記載のコンピュータ。
【請求項１３】
オークションにおいて商品の入札を受け付けるコンピュータであって、
前記オークションの出品者から、当該出品者を特定する出品者データを受け付けて当該出品者を認証する出品者認証手段と、
前記出品者から前記オークションに係る商品に関する情報を示すデータであって前記商品の第一の価格データ及び前記出品者の連絡先データを含んで構成される出品データを受け付けて記憶する出品データ受付手段と、
前記オークションの入札者に対して、前記オークションへの入札の受け付けを開始する時期より以前の時期であって前記出品データにおいて指定された時期に、前記出品データの一部であって前記第一の価格データ及び前記出品者の連絡先データを閲覧可能とする出品データ閲覧可能化手段と、
前記オークションの出品者から、前記出品データの取消を受け付けて記憶する出品データ取消受付手段と、
前記オークションの出品者から、前記第一の価格に変えて前記入札を開始した後に適用する第二の価格データを受け付けて記憶する第二の価格データ受付手段と、
前記オークションの入札者から、当該入札者を特定する入札者データを受け付けて当該入札者を認証する入札者認証手段と、
前記オークションの入札者からの前記商品に対する入札条件を示す入札データを受け付けて記憶する入札データ受付手段と、
受け付けた前記入札データに基づいて取引の成否を決定する取引決定手段と、を備えるコンピュータ。
【請求項１４】
前記第二の価格は前記第一の価格より低額である請求項１３に記載のコンピュータ。
【手続補正２】
【補正対象書類名】図面
【補正対象項目名】図７
【補正方法】変更
【補正の内容】
【図７】
2007156827.tif 000023